(57)【特許請求の範囲】
【請求項１】
弾性体から形成されたカバー本体と、底板とを有し、
カバー本体は、一対の翼部を含み、それぞれの翼部は当該翼部の下部から内方に向けて水平に延伸する延長部分を備えるとともに内方に向けて適切に圧縮されることによって収縮自在であり、カバー本体はまた、当該本体の頂部に形成された一対の補助孔と、各々の延長部分の先端に取り付けられた靴紐止めピンとを含み、
底板は、一対の靴紐入口孔と、カバー本体の内方部分が２つの中空部に区画されるように、一対の靴紐入口孔の間で上方に突出される隔壁と、を含んでなり、
靴紐の各々の端部は、靴紐入口孔および靴紐止めピンの一方の側で補助孔に通され、逆の順序で、靴紐止めピンの他の側を通って出され、各々の靴紐の端部を外方に水平に引っ張ると、出される靴紐が、靴紐入口孔のかどで、カバー本体内に残っている靴紐をしっかりと押圧して、締まっている状態が維持され、また、各翼部を内方に向けて押圧する一方、カバー本体を上方に向けて持ち上げると、締まっている状態が終了される靴紐を結ぶ装置
【請求項２】
カバー本体は、当該カバー本体の頂部面の底から下方に向けて突出する一対の突起物を備え、底板は、突起物に対応する一対の凹所溝を備え、カバー本体および底板は、突起物と凹所溝との間に加えられる接着剤によって相互に固着されてなる請求項１記載の靴紐を結ぶ装置。
【請求項３】
カバー本体および底板は、相互に一体的に形成されてなる請求項１記載の靴紐を結ぶ装置。
【請求項４】
延長部分はさらに、当該延長部分の先端に設けられ翼部が過度に縮むことを防ぐための爪を備えてなる請求項１記載の靴紐を結ぶ装置。
【請求項５】
延長部分はさらに、当該延長部分の側壁に設けられ出される靴紐を挿入するための固定孔を備えてなる請求項１記載の靴紐を結ぶ装置。
【請求項６】
靴紐止めピンは、靴紐入口孔の外周上方に配置されてなる請求項１記載の靴紐を結ぶ装置。
【発明の詳細な説明】
【０００１】
発明の技術分野
本発明は、靴紐を結ぶ装置に関し、さらに詳しくは、結んだ靴紐が容易に緩まないように、靴紐を容易に結びかつ解くことができる装置に関する。
【０００２】
技術背景
一般に、靴紐を使用した結び目は、スポーツ靴のような履き物が脱げないようにするために作られる。そのような結び目は、靴紐の両端を引っ張り、引っ張った両端を結びつけ、蝶々形状を形成して作られ、その結果、結び目が形成されることになる。しかしながら、結び目を作ることは、わずらわしいのに加えて、時間がかかるものである。さらに、結び目は、歩いている際に、それ自身によってしばしば緩んでくるという欠点がある。この問題を緩和するため、靴紐に代えて、いわゆるマジックテープすなわち登録商標としてのベルクロファスナを利用する試みがなされているが、ベルクロファスナの結束効果すなわち拘束ないし結合効果は、靴紐の拘束ないし結合効果よりも小さい。さらに、ベルクロファスナは、通常、靴を変形させ、それゆえ、ベルクロファスナの使用は、通常、子供用の靴に限定されている。
【０００３】
発明の開示
したがって、本発明の主たる目的は、靴紐がそれ自身で容易に緩められないように、履き物の靴紐を結ぶための装置を提供することにある。
【０００４】
本発明の一態様によれば、靴紐を結ぶ装置は、弾性体から形成されたカバー本体と、底板とを有し、カバー本体は、一対の翼部を含み、それぞれの翼部は当該翼部の下部から内方に向けて水平に延伸する延長部分を備えるとともに内方に向けて適切に圧縮されることによって収縮自在であり、カバー本体はまた、当該本体の頂部に形成された一対の補助孔と、各々の延長部分の先端に取り付けられた靴紐止めピンとを含み、底板は、一対の靴紐入口孔と、カバー本体の内方部分が２つの中空部に区画されるように、一対の靴紐入口孔の間で上方に突出される隔壁と、を含んでなり、靴紐の各々の端部は、靴紐入口孔および靴紐止めピンの一方の側で補助孔に通され、逆の順序で、靴紐止めピンの他の側を通って出され、各々の靴紐の端部を外方に水平に引っ張ると、出される靴紐が、靴紐入口孔のかどで、カバー本体内に残っている靴紐をしっかりと押圧して、締まっている状態が維持され、また、各翼部を内方に向けて押圧する一方、カバー本体を上方に向けて持ち上げると、締まっている状態が終了される。
【０００５】
図面の簡単な説明
本発明の上記および他の目的および特徴は、添付図面に関連して与えられる好適な実施形態についての下記の説明から明らかになるであろう。
【０００６】
図１は、本発明の好適な実施形態に係る靴紐を結ぶための装置を示す分解斜視図、
図２は、靴紐を結んでいる状態での、組み立てられた図１の装置を示す断面図、
図３は、靴紐を緩めている状態での、組み立てられた図２の装置を示す断面図、
図４は、使用中の、ともに組み立てられた図１に示される装置の部分概略図である。
【０００７】
本発明の実施の形態
図１〜図４を参照して、本発明の好適な実施形態に係る靴紐を結ぶ装置が示される。
【０００８】
図１に示すように、本発明の靴紐を結ぶ装置は、弾性体から形成されたカバー本体１０と、本体１０と組み立てられる底板３０と、を含んでいる。カバー本体１０は、一対の収縮性の翼部１２と、当該本体１０の頂部にそれぞれ形成された一対の補助孔１６と、靴紐止めピン１８と、を有している。それぞれの翼部は、当該翼部の下部から内方に向けて水平に延伸する延長部分１４を備え、靴紐止めピンは、各々の延長部分１４の先端に取り付けられている。翼部１２が圧縮されると、延長部分１４が内方に向けて引き締めないし縮められる。さらに、延長部分１４は、当該延長部分の先端に設けられ翼部１２が過度に縮むことを防ぐための爪２０と、当該延長部分の側壁に設けられ余分な出口靴紐４４（図４）を挿入するための固定孔２２と、を有している。
【０００９】
他方、底板３０は、一対の靴紐入口孔３２と、カバー本体１０の内方部分が２つの中空部に区画されるように、一対の靴紐入口孔３２の間で上方に突出される隔壁３４と、を有している。
【００１０】
さらに、カバー本体１０は、当該カバー本体の頂部面の底から下方に向けて突出する一対の突起物２４を備え、底板３０は、突起物２４に対応する一対の凹所溝３６を備え、カバー本体１０および底板３０は、突起物２４と凹所溝３６との間に加えられる接着剤によって相互に固着されている。このとき、靴紐止めピン１８が靴紐入口孔３２の外周上方に配置されるのが好ましい。カバー本体および底板は、相互に一体的に形成できる点に留意する必要がある。
【００１１】
上述したように構成される靴紐を結ぶ装置は、次のように作用する。
【００１２】
つまり、図２に示すように、履き物の最後の孔４０に挿通された靴紐の各々の端部は、靴紐入口孔３２および靴紐止めピン１８の一方の側で補助孔１６に通され、それから、逆の順序で、靴紐止めピン１８の他の側を通って出される。この操作の間、翼部１２がわずかに締まり、靴紐止めピン１８が靴紐入口孔３２の中心に位置することが許容される。逆の順序で出て行く靴紐は、以下では出口靴紐４２と指称され、また、カバー本体１０内に残っている靴紐は、入口靴紐４４と指称される。各々の出口靴紐４２が外方に水平に引っ張られると、入口靴紐４４は、各々の靴紐入口孔３２のかどで、各々の出口靴紐４２をしっかりと押圧する。この状態を、以下では締まっている状態と言う。これに対して、翼部１２を矢印で示される方向に内方に向けて押圧する一方、カバー本体１０を上方に向けて持ち上げると、入口および出口の靴紐４４、４２が図３に示すように相互の動きを阻害しないという理由から、締まっている状態が終了されるという結果になる。
【００１３】
図４から最もよく理解できるように、余分な出口靴紐４４は、延長部分１４の固定孔２２の中に直接に挿入されたり、あるいは、２つに折り重ねられたりし、折り重ねられた出口靴紐は、結んだ靴紐の一部が地面上に引きずられることを防ぐために、固定孔の中に挿入される。
【００１４】
ある好適な実施形態のみに関して本発明を記載したが、他の改良およびバリエーションは、請求項にて説明される本発明の範囲内から逸脱することなくなされ得るであろう。
【図面の簡単な説明】
【図１】本発明の好適な実施形態に係る靴紐を結ぶための装置を示す分解斜視図である。
【図２】靴紐を結んでいる状態での、組み立てられた図１の装置を示す断面図である。
【図３】靴紐を緩めている状態での、組み立てられた図２の装置を示す断面図である。
【図４】使用中の、ともに組み立てられた図１に示される装置の部分概略図である。
【図１】
0003583367.tif 000002
【図２】
0003583367.tif 000003
【図３】
0003583367.tif 000004
【図４】
0003583367.tif 000005